(57)【要約】【課題】本発明は生分解樹脂より成る達磨（だるま）や達磨（だるま）容器に閑し、特に処分が容易な環境に適合した達磨（だるま）や達磨（だるま）容器を提供するものである。【解決手段】本発明は達磨（だるま）や達磨（だるま）容器に関し、達磨（だるま）や達磨（だるま）容器を生分解樹脂で形成し、後に購入者が書き込む目や、達磨（だるま）の表面に施す模様を生分解樹脂の塗料を使用して生成し、当該達磨（だるま）を処分する際、土に埋めて自然分解させ、環境に優しい達磨（だるま）、及び達磨（だるま）容器を提供するものである。【選択図】　　　図１
2004041526.tif 000002
【特許請求の範囲】
【請求項１】
生分解樹脂で形成されただるまであり、該だるまの本体及び付属部も生分解樹脂で形成されていることを特徴とするだるま。
【請求項２】
前記付属部は、だるま本体を販売する際、同時に添付することを特徴とする請求項１記載のだるま。
【請求項３】
生分解樹脂で形成された蓋部と、生分解樹脂で形成された本体部と、該本体部と蓋部を結合する結合部で構成され、内部に特定の品物を入れて成ることを特徴とするだるま容器。
【請求項４】
前記結合部はねじ込みであり、前記品物はお茶であることを特徴とする請求項３記載のだるま容器。
【請求項５】
前記だるまにはフォログラム加工が施されていることを特徴とする請求項１記載のだるま。
【発明の詳細な説明】
【０００１】
【発明の属する技術分野】
本発明は、生分解樹脂より成る達磨（だるま）、及び入れ物や置物としての達磨（だるま）容器に関する。
【０００２】
【従来の技術】
達磨大師に起源をおく達磨（だるま）は、従来より縁起物としてお寺などにおかれ、販売されている。また、今日達磨（だるま）は宗派を越え多くのお寺で販売され、選挙や学業の祈願成就、商売繁盛、家内円満等の目的で購入されている。
【０００３】
また、達磨（だるま）の形状も販売目的に合わせて変化してきており、例えば上記本来の目的以外に、分割できる達磨（だるま）形状の容器を製造し、中にお茶などを入れて販売する例もある。また、本来達磨（だるま）の材質は紙であるが、金属で成型した達磨（だるま）容器も販売されている。
【０００４】
【発明が解決しようとする課題】
しかしながら、達磨（だるま）は縁起物であり、お寺に処分してもらう為通常お寺に戻す。また、容器などとして販売された達磨（だるま）についても、一般のごみとして処分するには抵抗があり、お寺に処分を依頼する場合も多い。お寺ではこのような達磨（だるま）をお焚き上げ等によって焼却処分している。
【０００５】
しかし、今日ダイオキシンやイオウ酸化物等の問題がクローズアップされ、従来のように焼却処分するには限界がある。また、容器リサイクル法によって、容器と判断されると販売業者にリサイクル義務が発生し、この点からも達磨（だるま）容器の販売には限界がある。
【０００６】
本発明は、上記課題を解決するため、生分解樹脂で形成された達磨（だるま）や、達磨（だるま）を摸した容器を販売し、回収して処分する際にも上記問題を発生することのない達磨（だるま）、及び達磨（だるま）容器を提供するものである。
【０００７】
【課題を解決するための手段】
上記課題は請求項１記載の発明によれば、生分解樹脂で形成されただるまであり、該だるまの本体及び付属部も生分解樹脂で形成されていることを特徴とするだるまを提供することによって達成できる。
【０００８】
ここで、生分解樹脂は微生物生産樹脂、及び澱粉性樹脂の何れであってもよく、例えば達磨（だるま）を土に埋めて処分した場合でも問題はない。
請求項２の記載は、上記請求項１記載の発明において、前記付属部は、だるま本体を販売する際、同時に添付する構成である。
【０００９】
このように構成することにより、達磨（だるま）全体が生分解樹脂で構成されることになり、より確実に環境に優しい達磨（だるま）とすることができる。
上記課題は請求項３記載の発明によれば、生分解樹脂で形成された蓋部と、生分解樹脂で形成された本体部と、該本体部と蓋部を結合する結合部で構成され、内部に特定の品物を入れて成るだるま容器を提供することによって達成できる。
【００１０】
本発明は達磨（だるま）の形状の入れ物の発明であり、このような場合でも当該入れ物（容器）を捨てる際、土に埋めることができ、環境に優しい容器とすることができる。
【００１１】
請求項４の記載は、上記請求項１　記載の発明において、前記結合部はねじ込みであり、前記品物はお茶である。
上記課題は請求項５記載の発明によれば、前記だるまにはフォログラム加工が施されていることを特徴とする。
【００１２】
このように構成することにより、達磨（だるま）の容器をより外観の優れた容器とし、この場合にも販売された達磨（だるま）の容器を回収して処分する際、ダイオキシン等を発生することのない達磨（だるま）容器とすることができる。
【００１３】
【発明の実施の形態】
以下、本発明の実施形態を図面に基づいて説明する。
＜第１の実施形態＞
図１は、本発明の達磨（だるま）の全体構成を示す図である。
【００１４】
同図に示すように、本例で説明する達磨（だるま）１　は祈願用の達磨（だるま）であり、目２の部分を除いて塗料が施されている。
本例の達磨（だるま）１は、例えば漆くいで作られた木型のベースに生分解樹脂をコーティングし、例えば和紙で補強した後上記木型を取り出し、塗料を塗る。この時使用する塗料は、生分解塗料である。
【００１５】
また、同図に示す達磨（だるま）は祈願用であり、合格祈願や選挙の祝勝祈願に使用されるが、家内安全やお祝い用の達磨（だるま）であってもよい。
また、上記生分解樹脂は微生物生産樹脂、及び澱粉性樹脂のいずれも使用することができ、上記塗料も同様の材料で構成されている。さらに、上記達磨（だるま）を販売する際、生分解樹脂で製造した目（黒色シール）を添付する。
【００１６】
このような構成の達磨（だるま）を販売することにより、購入者は祈願成就に対して黒色シールを目に貼る。また、一定期間家や会社に置いた後、例えばお寺に返す。お寺では上記達磨（だるま）が生分解樹脂で形成されていることから、例えば土に埋め、容易に処分することができる。
【００１７】
したがって、環境問題を発生させることがなく、処分方法を心配することなく、達磨（だるま）の販売を行うことができる。
＜第２の実施形態＞
次に、本発明の第２の実施形態について説明する。
【００１８】
本例の達磨（だるま）容器に関する発明であり、同図に示すライン３で蓋４と本体５に分割される。また、この分割部は、例えばねじ込みによって構成され、または軽い圧入によって係合する。
【００１９】
また、達磨（だるま）の製法は前述の実施形態と異なり、蓋４と本体５が別部材であるので、生分解樹脂を使用して成型して製造する。尚、使用する塗料は前述と同様、生分解塗料であり、上記達磨（だるま）の販売に際して、例えばお茶を中に入れて販売する。
【００２０】
上記構成の達磨（だるま）容器を販売することにより、購入者は必要に応じて蓋６を開け、お茶を取り出して使用する。そして、お茶を全て使用すると空になった達磨（だるま）容器をお寺に返す。
【００２１】
お寺では、上記と同様当該容器を土に埋め、容易に処分することができる。したがって、従来の焼却処分による場合に比べ、ダイオキシンの発生が無く、環境に優しい達磨（だるま）、及び達磨（だるま）容器を提案することができる。
【００２２】
尚、上記実施形態の説明では、生分解樹脂を使用する構成としたが、更にフォログラム加工を施す構成としてもよい。
＜第３の実施形態＞
次に、本発明の第３の実施形態について説明する。
【００２３】
本例も達磨（だるま）容器に関する発明であり、同図しないが、達磨（だるま）容器は透明なプラスチック性の容器であり、達磨（だるま）の形状である。本例の達磨（だるま）容器も上下に分解でき、内部にお茶やお菓子等の品物を入れる。
【００２４】
尚、本例の達磨（だるま）容器は透明であり、通常の達磨（だるま）としての使用は行わない。すなわち、祈願成就により目を入れたりはしない。容器に収納された品物を取り出した後は、中に土を入れ観葉植物等を栽培することができる。また、生分解樹脂で構成され、使用後は土に帰すこともできる。
【００２５】
【発明の効果】
以上説明したように、本発明の達磨（だるま）は生分解樹脂で形成され、特に生分解樹脂で形成された達磨（だるま）や、達磨（だるま）容器を販売し、環境に適合した達磨（だるま）を提供することができる。
【図面の簡単な説明】
【図１　】本発明の達磨（だるま）の図である。
【図２　】達磨（だるま）容器の図である。
【符号の説明】
１　達磨（だるま）
２　目
３　ライン
４　蓋
５　本体
【図１】
2004041526.tif 000003
【図２】
2004041526.tif 000004